【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
光通信システムであって、
第１光信号を生成する第１送信部と、
第２コアと同心の第１コアを有する同心空間分割多重化（ＳＤＭ）ファイバであって、前記第２コアは前記同心ＳＤＭファイバ内において前記第１コアと径方向に分離されており、前記同心ＳＤＭファイバは第１端部及び第２端部を有する、前記同心ＳＤＭファイバと、
前記第１送信部から前記同心ＳＤＭファイバの前記第１端部への前記第１光信号の経路上に配置された第１空間マルチプレクサ／デマルチプレクサと、
前記第１光信号が前記第１送信部から前記同心ＳＤＭファイバの前記第１コアに沿って伝搬した後、前記第１光信号を受信するように配置された第１受信部と、
前記同心ＳＤＭファイバの前記第２端部から前記第１受信部への前記第１光信号の経路上に配置された第２空間マルチプレクサ／デマルチプレクサと、
第２光信号を生成する第２送信部と、
前記第２光信号が前記第２送信部から前記同心ＳＤＭファイバの前記第２コアに沿って前記第１及び第２空間マルチプレクサ／デマルチプレクサを通って伝搬した後、前記第２光信号を受信するように配置された第２受信部と、
を有する光通信システム。
【請求項２】
前記第２送信部は、前記第２光信号を前記同心ＳＤＭファイバの前記第１端部へ導くように配置され、前記第２受信部は、前記第２光信号を前記同心ＳＤＭファイバの前記第２端部から受信するように配置される、請求項１に記載のシステム。
【請求項３】
前記第２送信部は、前記第２光信号を前記同心ＳＤＭファイバの前記第２端部へ導くように配置され、前記第２受信部は、前記第２光信号を前記同心ＳＤＭファイバの前記第１端部から受信するように配置される、請求項１に記載のシステム。
【請求項４】
前記第１空間マルチプレクサ／デマルチプレクサは、前記第２送信部から前記同心ＳＤＭファイバの前記第１端部への前記第２光信号の経路上に配置され、前記第２空間マルチプレクサ／デマルチプレクサは、前記同心ＳＤＭファイバの前記第２端部から前記第２受信部への前記第２光信号の経路上に配置される、請求項１に記載のシステム。
【請求項５】
前記第２空間マルチプレクサ／デマルチプレクサは、前記第２送信部から前記同心ＳＤＭファイバの前記第２端部への前記第２光信号の経路上に配置され、前記第１空間マルチプレクサ／デマルチプレクサは、前記同心ＳＤＭファイバの前記第１端部から前記第２受信部への前記第２光信号の経路上に配置される、請求項１に記載のシステム。
【請求項６】
前記第１光信号は、第１波長分割多重（ＷＤＭ）光信号である、請求項１に記載のシステム。
【請求項７】
前記第２光信号は、第２ＷＤＭ光信号である、請求項１に記載のシステム。
【請求項８】
第３光信号を生成する第３送信部と、前記第３光信号が前記第３送信部から前記同心ＳＤＭファイバに沿って伝搬した後、前記第３光信号を受信するように配置された第３受信部とを更に有する、請求項１に記載のシステム。
【請求項９】
前記同心ＳＤＭファイバは、前記第１コア及び前記第２コアと同心の第３コアを有し、前記第３光信号は、前記第３送信部から前記第３コアを介して前記第３受信部へ伝搬する、請求項８に記載のシステム。
【請求項１０】
前記第３光信号は、前記第１コア又は前記第２コアの一つに沿って、前記第１光信号の第１伝搬方向又は前記第２光信号の第２伝搬方向の一つとそれぞれ反対の第３伝搬方向へ伝搬する、請求項８に記載のシステム。
【請求項１１】
前記第１及び第２送信部は、それぞれ、第１及び第２送受信部であり、前記第１及び第２受信部は、それぞれ、第３及び第４送受信部である、請求項１に記載のシステム。
【請求項１２】
前記同心ＳＤＭファイバの前記第１コアは、前記同心ＳＤＭファイバの軸上に位置する中心コアであり、前記第２コアは、前記第１コアに対して同心状に径方向に分離されて配置された円筒状コアである、請求項１１に記載のシステム。
【請求項１３】
前記第１コアは、関連する第１屈折率を有し、前記第２コアは、関連する第２屈折率を有し、前記第１及び第２屈折率が等しい、請求項１に記載のシステム。
【請求項１４】
前記第１コアは、関連する第１屈折率を有し、前記第２コアは、関連する第２屈折率を有し、前記第１及び第２屈折率が異なる、請求項１に記載のシステム。
【請求項１５】
前記第２屈折率は前記第１屈折率よりも小さい、請求項１４に記載のシステム。
【請求項１６】
光通信システムであって、
第２コアと同心の第１コアを有する同心空間分割多重化（ＳＤＭ）ファイバであって、前記第２コアは前記同心ＳＤＭファイバ内において前記第１コアと径方向に分離されている、前記同心ＳＤＭファイバと、
前記同心ＳＤＭファイバの第１端部に配置された第１空間マルチプレクサ／デマルチプレクサと、
前記同心ＳＤＭファイバの第２端部に配置された第２空間マルチプレクサ／デマルチプレクサと、
を有し、前記第１空間マルチプレクサ／デマルチプレクサは、前記同心ＳＤＭファイバの前記第１及び第２コアと位置合わせされ、前記第２空間マルチプレクサ／デマルチプレクサは、前記同心ＳＤＭファイバの前記第１及び第２コアと位置合わせされ、第１光信号が前記第１空間マルチプレクサ/デマルチプレクサを介して前記第１コアへ伝搬し、第２光信号が前記第１空間マルチプレクサ/デマルチプレクサを介して前記第２コアへ伝搬するときに、前記第２空間マルチプレクサ/デマルチプレクサは、前記同心ＳＤＭファイバの前記第２端部から伝搬した後の前記第１及び第２光信号の経路を分離し、前記第１及び第２光信号を別々に検出可能とする、光通信システム。
【請求項１７】
前記第１光信号を生成する第１送信部であって、前記第１光信号を前記第１空間マルチプレクサ／デマルチプレクサを介して前記同心ＳＤＭファイバの前記第１コアへ伝搬するように構成された前記第１送信部と、
前記第１光信号が前記同心ＳＤＭファイバの前記第１コアに沿って伝搬した後、前記第２空間マルチプレクサ／デマルチプレクサを介して前記第１光信号を受信する第１受信部と、
を更に有する、請求項１６に記載のシステム。
【請求項１８】
前記第２光信号を生成する第２送信部であって、前記第２光信号を前記第１空間マルチプレクサ／デマルチプレクサ及び前記第２空間マルチプレクサ／デマルチプレクサの一方を介して前記同心ＳＤＭファイバの前記第２コアへ伝搬するように構成された前記第２送信部と、
前記第２光信号が前記同心ＳＤＭファイバの前記第２コアに沿って伝搬した後、前記第１空間マルチプレクサ／デマルチプレクサ及び前記第２空間マルチプレクサ／デマルチプレクサの他方を介して前記第２光信号を受信する第２受信部と、
を更に有する、請求項１７に記載のシステム。
【請求項１９】
前記第２光信号は、前記第２送信部から前記第１空間マルチプレクサ／デマルチプレクサを介して前記同心ＳＤＭファイバの前記第２コアへ伝搬し、前記同心ＳＤＭファイバの前記第２コアから前記第２空間マルチプレクサ/デマルチプレクサを介して第２受信部へ伝搬する、請求項１８に記載のシステム。
【請求項２０】
前記第２光信号は、前記第２送信部から前記第２空間マルチプレクサ／デマルチプレクサを介して前記同心ＳＤＭファイバの前記第２コアへ伝搬し、前記同心ＳＤＭファイバの前記第２コアから前記第１空間マルチプレクサ/デマルチプレクサを介して第２受信部へ伝搬する、請求項１８に記載のシステム。